(57)【要約】【課題】親が自身のスマートフォンを子供に安心して渡せるようにする。【解決手段】本発明であるアプリケーションプログラムＡＰＬＯＣＫは、他のアプリケーションプログラムＡＰ−ｍ（ｍ＝１〜Ｍ）とともにスマートフォン１０に実装される。アプリケーションプログラムＡＰＬＯＣＫの起動中に、子供による利用を許可するアプリケーションプログラムＡＰ−ｍを選択する操作を含む設定操作が行われた場合、設定操作において選択されたものを除くアプリケーションプログラムＡＰ−ｍの起動が制限される。【選択図】図１
2014030157.tif 000002
【特許請求の範囲】
【請求項１】
コンピュータを、
当該コンピュータに実装済みの各アプリケーションプログラムの中から子供による利用を許可するアプリケーションプログラムを選択する操作を含む設定操作が行われた場合に、前記設定操作において選択されたものを除くアプリケーションプログラムの起動を制限する起動制限手段
として機能させるアプリケーションプログラム。
【請求項２】
前記コンピュータは、各種画面を表示するとともに表示画面内の各点へのタッチを検知するタッチパネルディスプレイを具備し、
前記起動制限手段は、
当該コンピュータに実装済みのアプリケーションプログラムを示す各アイコンを配した第１の画面を前記タッチパネルディスプレイに表示させる第１の画面表示手段と、
前記第１の画面の表示中に前記第１の画面内の一又は複数のアイコンをタッチする操作が行われた場合に、この操作により選択されたアイコンと所定のボタンとを配した第２の画面を前記タッチパネルディスプレイに表示させる第２の画面表示手段と、
前記第２の画面の表示中に前記第２の画面内の所定のボタンをタッチする操作が行われた場合に、矩形の４隅にあたる位置に４つのボタンを配した第３の画面を前記タッチパネルディスプレイに表示させる第３の画面表示手段と
を有し、
前記第２の画面内のアイコンをタッチする操作が行われた場合にタッチされたアイコンと対応するアプリケーションが起動され、前記第３の画面内の４つのボタンが予め定められた順にタッチされた場合に前記起動の制限が解除されるように構成されていることを特徴とする請求項１に記載のアプリケーションプログラム。
【請求項３】
前記起動制限手段は、
前記設定操作により選択されたアプリケーションプログラムの利用時間を設定する時間設定操作が行われた場合に、当該時間設定操作により設定された時間が経過した時点において起動中のアプリケーションプログラムを終了させる利用時間管理手段を有することを特徴とする請求項２に記載のアプリケーションプログラム。
【発明の詳細な説明】
【技術分野】
【０００１】
この発明は、子供によるコンピュータの利用を管理する技術に関する。
【背景技術】
【０００２】
スマートフォンや携帯電話機といった通話機能付きコンピュータ装置の中には、子供の誤操作によるトラブルを回避するためのロック機能を搭載したものがある。このロック機能に関わる技術を開示した文献として、特許文献１がある。同文献１に開示された携帯電話機は、操作者が携帯電話機を手に持ったときの接触部位の面積をセンサにより検出し、この接触部位の面積に基づいて操作者が子供であるかを判定し、操作者が子供であると判定した場合に操作制限を施す構成になっている。
【先行技術文献】
【特許文献】
【０００３】
【特許文献１】特開２００３−１６３７３９号公報
【発明の概要】
【発明が解決しようとする課題】
【０００４】
ところで、スマートフォンの利用者は、「マーケット」と称されるサイトから様々な種類のアプリケーションプログラムをダウンロードして自身のスマートフォンに実装することができる。マーケットにおいて提供されているアプリケーションプログラムの中には、子供に見せたくないような過激な内容のものや利用量に応じた課金が発生するものがある一方で、子供の発育に好影響を及ぼすような内容のものもある。このため、スマートフォンに実装されているアプリケーションプログラムのうち親が許可したものだけを子供が利用できる仕組みがあれば、親が子供にスマートフォンを安心して渡せるようになるはずであるが、このような技術は未だ実用化に至っていない。
【０００５】
本発明は、このような課題に鑑みてなされたものであり、親が自身のスマートフォンを子供に安心して渡せるようになる技術的手段を提供することを目的とする。
【課題を解決するための手段】
【０００６】
上記課題を解決するため、本発明は、コンピュータを、当該コンピュータに実装済みの各アプリケーションプログラムの中から子供による利用を許可するアプリケーションプログラムを選択する操作を含む設定操作が行われた場合に、前記設定操作において選択されたものを除くアプリケーションプログラムの起動を制限する起動制限手段として機能させるアプリケーションプログラムを提供する。
【０００７】
本発明では、コンピュータに実装済みのアプリケーションプログラムの中から子供による利用を許可するアプリケーションプログラムを選択する操作を含む設定操作が行われた場合に、この設定操作において選択されたものを除くアプリケーションプログラムの起動を制限する。よって、本発明によると、コンピュータの所有者である親は、コンピュータの利用を望む子供にコンピュータを安心して渡すことができる。
【図面の簡単な説明】
【０００８】
【図１】本発明の一実施形態であるアプリケーションプログラムを実装したスマートフォンを示す図である。
【図２】同スマートフォン内のＣＰＵの処理を示すフローチャートである。
【図３】同スマートフォン内のＣＰＵの処理を示すフローチャートである。
【図４】同スマートフォン内のＣＰＵの処理を示すフローチャートである。
【図５】同スマートフォンのタッチパネルディスプレイに表示される画面ＳＣＲ１を示す図である。
【図６】同スマートフォンのタッチパネルディスプレイに表示される画面ＳＣＲ２を示す図である。
【図７】同スマートフォンのタッチパネルディスプレイに表示される画面ＳＣＲ３を示す図である。
【図８】同スマートフォンのタッチパネルディスプレイに表示される画面ＳＣＲ１を示す図である。
【図９】同スマートフォンのタッチパネルディスプレイに表示される画面ＳＣＲ４を示す図である。
【図１０】同スマートフォンのタッチパネルディスプレイに表示される画面ＳＣＲ４を示す図である。
【図１１】同スマートフォンのタッチパネルディスプレイに表示される画面ＳＣＲ５を示す図である。
【図１２】同スマートフォンのタッチパネルディスプレイに表示される画面ＳＣＲ６を示す図である。
【図１３】同スマートフォンのタッチパネルディスプレイに表示される画面ＳＣＲ７を示す図である。
【図１４】同スマートフォンのタッチパネルディスプレイに表示される画面ＳＣＲ８を示す図である。
【図１５】同スマートフォンのタッチパネルディスプレイに表示される画面ＳＣＲ８を示す図である。
【図１６】同スマートフォンのタッチパネルディスプレイに表示される画面ＳＣＲ９を示す図である。
【図１７】同スマートフォンのタッチパネルディスプレイに表示される画面ＳＣＲ１０を示す図である。
【図１８】同スマートフォンのタッチパネルディスプレイに表示されるアプリケーションプログラムの表示画面の一例を示す図である。
【図１９】同スマートフォンのタッチパネルディスプレイに表示される画面ＳＣＲ１１を示す図である。
【発明を実施するための形態】
【０００９】
以下、図面を参照しつつ本発明の実施形態について説明する。図１（Ａ）は、本発明の一実施形態であるアプリケーションプログラムＡＰＬＯＣＫを実装したスマートフォン１０の外観を示す図である。図１（Ｂ）は、スマートフォン１０のハードウェア概略構成を示す図である。図１（Ａ）に示すように、スマートフォン１０の筐体１１は、手の中に収まる寸法を持った扁平な板状をなしている。筐体１１の表面の中央の開口からはタッチパネルディスプレイ１２が露出している。タッチパネルディスプレイ１２は、各種画面を表示する表示装置としての機能と、画面内の各点にタッチする操作を検知する検知装置としての機能とを併有する装置である。筐体１１の表面におけるタッチパネルディスプレイ１２の上にはスピーカ１３が設けられている。筐体１１の表面におけるタッチパネルディスプレイ１２の下にはマイクロホン１４が設けられている。
【００１０】
筐体１１の右側面には電源キー１５が設けられている。電源キー１５は、スマートフォン１０の電源のオンとオフを指示する操作子である。筐体１１の左側面にはボリュームキー１６が設けられている。ボリュームキー１６は、スマートフォン１０の音量を調整する操作子である。筐体１１におけるタッチパネルディスプレイ１２の下には、ホームキー１７、バックキー１８、及びメニューキー１９が設けられている。ホームキー１７は、タッチパネルディスプレイ１２の表示画面のホーム画面への切り替えを指示する操作子である。バックキー１８は、タッチパネルディスプレイ１２の表示画面の前画面への切り替えを指示する操作子である。メニューキー１９は、タッチパネルディスプレイ１２の表示画面のメニュー画面への切り替えを指示する操作子である。
【００１１】
図１（Ｂ）に示すように、スマートフォン１０の筐体１１には、無線通信部２１及び制御部２２が内蔵されている。無線通信部２１は、制御部２２による制御の下、移動体通信網における基地局にアクセスし、インターネットに接続されている他の装置とデータを送受信する。
【００１２】
制御部２２は、スマートフォン１０の制御中枢としての役割を果たす装置である。制御部２２は、ＣＰＵ２３、ＲＡＭ２４、およびＥＥＰＲＯＭ（Electronically Erasable and Programmable Read
Only Memory）２５を有する。ＣＰＵ２３は、ＲＡＭ２４をワークエリアとして利用しつつ、ＥＥＰＲＯＭ２５内の各種プログラムを実行する。ＥＥＰＲＯＭ２５には、ＯＳ（Operating System）２６、アプリケーションプログラムＡＰＬＯＣＫ、およびその他のアプリケーションプログラムＡＰ−ｍ（ｍ＝１〜Ｍ、Ｍは当該スマートフォン１０に実装済みのアプリケーションプログラムＡＰ−ｍの総数）が記憶されている。ここで、アプリケーションプログラムＡＰ−ｍ（ｍ＝１〜Ｍ）の中には、スマートフォン１０の出荷時において実装済みであったものと、スマートフォン１０の所有者がインターネット上のサーバ（マーケットのサーバ）からダウンロードして実装したものとがある。
【００１３】
アプリケーションプログラムＡＰＬＯＣＫは、スマートフォン１０の所有者（親）が自らの子供にスマートフォン１０を渡して子供向けのアプリケーションプログラムＡＰ−ｍをプレイさせるときに利用するものである。アプリケーションプログラムＡＰＬＯＣＫは、スマートフォン１０に実装済みのアプリケーションプログラムＡＰ−ｍ（ｍ＝１〜Ｍ）の中から子供による利用を許可するアプリケーションプログラムＡＰ−ｍを選択する操作を含む設定操作が行われた場合に、この設定操作において選択されたものを除くアプリケーションプログラムＡＰ−ｍの起動を制限する機能を有する。以下、このアプリケーションプログラムＡＰ−ｍの起動時におけるスマートフォン１０の動作を説明する。
【００１４】
図２、図３、及び図４は、アプリケーションプログラムＡＰＬＯＣＫの起動時におけるＣＰＵ２３の処理を示すフローチャートである。ＣＰＵ２３は、アプリケーションプログラムＡＰＬＯＣＫの起動を指示する操作（例えば、ホーム画面におけるアプリケーションプログラムＡＰＬＯＣＫのアイコンをタッチする操作）が行われると、画面ＳＣＲ１をタッチパネルディスプレイ１２に表示させる（Ｓ１１１）。
【００１５】
図５は、画面ＳＣＲ１を示す図である。この画面ＳＲＣ１の上段には、錠前を模擬した画像と、アプリケーションプログラムＡＰＬＯＣＫの名称である「あんしんキッズロック」という文字と、「ＫＩＤＳＬＯＣＫ！」という文字とが表示されている。その下には、「セーブデータを作成して下さい」という文字が表示されている。その下には、ウィンドウＷＮ１−１、ウィンドウＷＮ１−２、及びボタンＢＴ１−３が表示されている。ウィンドウＷＮ１−１内には、「未登録」という文字が記されている。ウィンドウＷＮ１−２内にも、「未登録」という文字が記されている。ボタンＢＴ１−３内には、「クイックロック」という文字が記されている。
【００１６】
本実施形態では、所有者（親）が自身の子供の名前または愛称を最大２つまでアカウント登録できるようになっている。所有者（親）は、子供のアカウント登録を行った上でアプリーションプログラムＡＰ−ｍの利用制限をかけたい場合はウィンドウＷＮ１−１またはウィンドウＷＮ１−２をタッチする操作を行い、アカウント登録を行うことなくアプリケーションプログラムＡＰ−ｍの利用制限をかけたい場合はボタンＢＴ１−３をタッチする操作を行う。
【００１７】
画面ＳＣＲ１において、ウィンドウＷＮ１−１またはＷＮ１−２をタッチする操作が行われた場合（Ｓ１１２：Ｙｅｓ）、ＣＰＵ２３は、画面ＳＣＲ２をタッチパネルディスプレイ１２に表示させる（Ｓ１２１）。
【００１８】
図６は、画面ＳＣＲ２を示す図である。この画面ＳＣＲ２の上段には、ウィンドウＷＮ２−１が表示されている。このウィンドウＷＮ２−１内には、「キッズロック」という文字が入力されている。ウィンドウＷＮ２−１の右にはボタンＢＴ２−２が表示されている。ボタンＢＴ２−２内には、矢印の画像と「ＢＡＣＫ」という文字が記されている。ウィンドウＷＮ２−１とボタンＢＴ２−２の下には、ボタンＢＴ２−３が表示されている。ボタンＢＴ２−３内には、「アプリの登録／解除」という文字が記されている。ボタンＢＴ２−３の下にはボタンＢＴ２−４が表示されている。ボタンＢＴ２−４内には「タイマーの設定」という文字が記されている。ボタンＢＴ２−４の下には、「下のボタンをタップするとロックが開始します」という文字が表示されている。この文字の下には、錠前を模擬したボタンＢＴ２−５が表示されている。ボタンＢＴ２−５の下には「ロック開始」という文字が表示されている。
【００１９】
画面ＳＣＲ２において、ウィンドウＷＮ２−１をタッチする操作が行われた場合（Ｓ１２２：Ｙｅｓ）、ＣＰＵ２３は、画面ＳＣＲ３をタッチパネルディスプレイ１２に表示させる（Ｓ１３１）。
【００２０】
図７は、画面ＳＣＲ３を示す図である。この画面ＳＣＲ３の上段には、「登録情報の設定」という文字が表示されている。この文字の下には、「登録情報の設定ができます。」という文字が表示されている。その下には、「なまえ」という文字が表示されている。この文字の下にはウィンドウＷＮ３−１が表示されている。ウィンドウＷＮ３−１の下には、「せいべつ」という文字が表示されている。この文字の下には、ボタンＢＴ３−２及びＢＴ３−３が左右に並べて表示されている。ボタンＢＴ３−２内には男の子の似顔絵が記されている。ボタンＢＴ３−３内には女の子の似顔絵が記されている。ボタンＢＴ３−２及びＢＴ３−３の下にはボタンＢＴ３−４及び３−５が左右に並べて表示されている。ボタンＢＴ３−４内には「ＳＡＶＥ」という文字が記されている。ボタンＢＴ３−５内には「ＣＡＮＣＥＬ」という文字が記されている。
【００２１】
所有者（親）は、この画面ＳＣＲ３において、新規アカウントを登録する操作を行う。具体的には、ウィンドウＷＮ３−１内に自身の子供の名前または愛称を入力し、ボタンＢＴ３−２及びＢＴ３−３のうち該当の性別のものをタッチする。その後、所有者（親）は、ボタンＢＴ３−４をタッチする。また、所有者（親）は、新規アカウントの登録をやめる場合は、ボタンＢＴ３−５をタッチする。
【００２２】
画面ＳＣＲ３において、ボタンＢＴ３−４をタッチする操作が行われた場合（Ｓ１３２：Ｙｅｓ）、ＣＰＵ２３は、ウィンドウＷＮ３−１内の文字列を含むデータＤＮＡＭＥと、ボタンＢＴ３−２及びＢＴ３−３のうちタッチされた方の性別を示すデータＤＧＥＮＤＥＲとを含む登録情報ＤＲをＥＥＰＲＯＭ２５に格納し、ステップＳ１２１に戻る。一方、ボタンＢＴ３−５をタッチする操作が行われた場合、登録情報ＤＲのＥＥＰＲＯＭ２５への記憶を行うことなくステップＳ１２１に戻る。
【００２３】
画面ＳＣＲ２において、ボタンＢＴ２−２をタッチする操作が行われた場合（Ｓ１２３：Ｙｅｓ）、ＣＰＵ２３は、ステップＳ１１１に戻り、画面ＳＣＲ１をタッチパネルディスプレイ１２に表示させる。ここで、上記画面ＳＣＲ３において新規アカウントの登録情報ＤＲがＥＥＰＲＯＭ２５内に記憶された場合、これ以降のステップＳ１１１では、図８に示すように、該当のウィンドウＷＮ１−１またはウィンドウＷＮ１−２（図８の例では、ウィンドウＷＮ１−１）を登録情報ＤＲ内におけるデータＤＧＥＮＤＥＲが示す性別の画像（図８の例では男の子の画像）とデータＤＮＡＭＥが示す名前（図８の例ではたろう）を示すものにする。そして、ＣＰＵ２３は、次回のアプリケーションプログラムＡＰＬＯＣＫの起動直後のステップＳ１１１では、ＥＥＰＲＯＭ２５内に登録情報ＤＲがあるか否かを参照し、ＥＥＰＲＯＭ２５内に登録情報ＤＲがある場合は、登録情報ＤＲが示す性別の画像と名前を該当のウィンドウＷＮ１−１（またはウィンドウＷＮ１−２）に埋め込んだ画面ＳＣＲ１をタッチパネルディスプレイ１２に表示させる。
【００２４】
画面ＳＣＲ３において、ボタンＢＴ２−３をタッチする操作が行われた場合（Ｓ１２４：Ｙｅｓ）、ＣＰＵ２３は、画面ＳＣＲ４をタッチパネルディスプレイ１２に表示させる（Ｓ１４１）。また、画面ＳＣＲ１において、ボタンＢＴ１−３がタッチされた場合（Ｓ１１３：Ｙｅｓ）、ＣＰＵ２３は、直ちにこのステップＳ１４１に進む。
【００２５】
図９は、画面ＳＣＲ４を示す図である。この画面ＳＣＲ４の上段には、ウィンドウＷＮ４−１が表示されている。ウィンドウＷＮ４−１内には、登録情報ＤＲのデータＤＧＥＮＤＥＲが示す性別の画像及びデータＤＮＡＭＥが示す名前（図９の例ではたろう）が記されている。ウィンドウＷＮ４−１の下には、「登録するアプリを選択して下さい」という文字が表示されている。この文字の下には、アプリケーションプログラムＡＰ−ｍ（ｍ＝１〜Ｍ）の各々と対応するアイコンＩＣＮ４−２−ｍが表示される。ここで、図９の画面ＳＣＲ４内のアイコンＩＣＮ４−２−ｍの表示数は１６個（アイコンＩＣＮ４−２−１〜ＩＣＮ４−２−１６）となっているが、画面ＳＣＲ４を下方向にフリックすると残りのアイコンＩＣＮ４−２−１６〜ＩＣＮ４−２−Ｍが現れるようになっている。画面ＳＣＲ４の下段には、ボタンＢＴ４−３及びＢＴ４−４が左右に並べて表示されている。ボタンＢＴ４−３内には「ＳＡＶＥ」の文字が記されている。ボタンＢＴ４−４内には「ＣＡＮＳＥＬ」の文字が記されている。
【００２６】
画面ＳＣＲ４において、所有者（親）は、スマートフォン１０に実装済みのアプリケーションプログラムＡＰ−ｍ（ｍ＝１〜Ｍ）の中から子供による利用を許可するアプリケーションプログラムＡＰ−ｍを選択する操作（設定操作）を行う。具体的には、画面ＳＣＲ４内のアイコンＩＣＮ４−２−ｍ（ｍ＝１〜Ｍ）の中から子供の利用を許可するもののアイコンＩＣＮ４−２−ｍを選んでそれをタッチする操作を繰り返す。図１０に示すように、ＣＰＵ２３は、アイコンＩＣＮ４−２−ｍ（ｍ＝１〜Ｍ）のいずれかがタッチされた場合、タッチされたアイコンＩＣＮ４−２−ｍ（図１０の例では、アイコンＩＣＮ４−２−５、ＩＣＮ４−２−６、ＩＣＮ４−２−１０、ＩＣＮ４−２−１３）を矩形枠Ｘで囲むとともに枠Ｘの左上隅にチェックマークを模擬した画像Ｙを出現させる。所有者（親）は、アイコンＩＣＮ４−２−ｍをタッチする操作を終えた後、ボタンＢＴ４−３をタッチする。また、所有者（親）は、設定をやめる場合は、ボタンＢＴ４−４をタッチする。
【００２７】
画面ＳＣＲ４において、ボタンＢＴ４−３をタッチする操作が行われた場合（Ｓ１４２：Ｙｅｓ）、タッチにより選択されたアプリケーションプログラムＡＰ−ｍの識別情報ＩＤ−ｍを登録情報ＤＲとしてＥＥＰＲＯＭ２５に記憶し、ステップＳ１２１に戻る。一方、ボタンＢＴ４−４をタッチする操作が行われた場合、識別情報ＩＤ−ｍの記憶を行うことなくステップＳ１２１に戻る。
【００２８】
画面ＳＣＲ２において、ボタンＢＴ２−４をタッチする操作が行われた場合（Ｓ１２５：Ｙｅｓ）、ＣＰＵ２３は、画面ＳＣＲ５をタッチパネルディスプレイ１２に表示させる（Ｓ１５１）。
【００２９】
図１１は、画面ＳＣＲ５を示す図である。この画面ＳＣＲ５の上段には、「タイマーの設定」という文字が表示されている。この文字の下には、「プレイ可能時間を設定できます。設定時間になるとアプリがロックされます」という文字が表示されている。この文字の下には、ボタンＢＴ５−１、時間設定欄ＢＯＸ５−２、分設定欄ＢＯＸ５−３が左右に並べて配置されている。ボタンＢＴ５−１内には「ＯＮ」という文字が記されている。ボタンＢＴ５−１の上には時計を模擬した画像が表示されている。ボタンＢＴ５−１は、当該ボタンＢＴ５−１をタッチする度に、「ＯＦＦ」→「ＯＮ」→「ＯＦＦ」と表示が切り替わるようになっている。時間設定欄ＢＯＸ５−２内には「００」という文字が記されている。時間設定欄ＢＯＸ５−２の下には「（時間）」という文字が記されている。時間設定欄ＢＯＸ５−２は、設定欄ＢＯＸ５−２上において指を上方向にフリックすると、「００」→「０１」→「０２」…「２２」→「２３」→「００」の表示が切り替わり、下方向にフリックすると、「００」→「２３」→「２２」…「０２」→「０１」→「００」の表示が切り替わるようになっている。時間設定欄ＢＯＸ５−３内には「０５」という文字が記されている。時間設定欄ＢＯＸ５−３の下には「（分）」という文字が記されている。時間設定欄ＢＯＸ５−３は、設定欄ＢＯＸ５−３上において指を上方向にフリックすると、「０５」→「０６」→「０７」…「５９」→「６０」→「０１」…「０３」→「０４」→「０５」と表示が切り替わり、下方向にフリックすると、「０５」→「０４」→「０３」→「０１」→「６０」→「５９」…「０７」→「０６」→「０５」と表示が切り替わるようになっている。
【００３０】
画面ＳＣＲ５において、所有者（親）は、子供による利用を許可したアプリケーションプログラムＡＰ−ｍの利用時間を設定する操作（時間設定操作）を行う。具体的には、ボタンＢＴ５−１内の文字を「ＯＮ」にし、設定欄ＢＯＸ５−２内の文字と設定欄ＢＯＸ５−３内の文字を所望の時間となるように調整する。利用時間の設定操作を終えた後、所有者は、ボタンＢＴ５−４をタッチする。また、所有者は、利用時間の設定をやめる場合は、ボタンＢＴ５−５をタッチする。
【００３１】
画面ＳＣＲ５において、ボタンＢＴ５−４をタッチする操作が行われた場合（Ｓ１３２：Ｙｅｓ）、ＣＰＵ２３は、同画面ＳＣＲ５において設定された利用時間を示すデータＤＴＩＭＥ（設定欄ＢＯＸ５−２及びＢＯＸ５−３内の文字により示される時間長を示すデータ）を登録情報ＤＲとしてＥＥＰＲＯＭ２５に記憶し、ステップＳ１２１に戻る。一方、ボタンＢＴ５−４をタッチする操作が行われた場合、データＤＴＩＭＥをＥＥＰＲＯＭ２５に記憶せずにステップＳ１２１に戻る。
【００３２】
画面ＳＣＲ２において、ボタンＢＴ２−５をタッチする操作が行われた場合（Ｓ１２６：Ｙｅｓ）、ＣＰＵ２３は、画面ＳＣＲ６をタッチパネルディスプレイ１２に表示させる（Ｓ１６１）。
【００３３】
図１２は、画面ＳＣＲ６を示す図である。この画面ＳＣＲ６は、次に表示される画面ＳＣＲ７（後述）の操作方法を案内するためのものである。この画面ＳＣＲ６の上段には、「ロックを有効化するため、２つの設定を「解説図の手順」で行ってください」という文字が表示されている。この文字の下には、次に表示される画面ＳＣＲ７（後述）を模した画像ＩＭＧ６−１とこれを上下から挟む２つの吹き出し枠ＢＬ６−２及びＢＬ６−３が解説図として表示されている。吹き出し枠ＢＬ６−３内には、「Ｓｔｅｐ１“常にこの操作で使用する”にチェックを入れる」という文字が記されている。吹き出し枠ＢＬ６−２内には、「Ｓｔｅｐ２“Ｋｉｄｓ Ｌｏｃｋ”をタップ」という文字が記されている。画面ＳＣＲ６の下段には、ボタンＢＴ６−４が表示されている。ボタンＢＴＢＴ６−４内には、「設定へ進む」という文字が記されている。
【００３４】
画面ＳＣＲ６において、所有者（親）は、画像ＩＭＧ６−１、吹き出し枠６−２内の案内、及び吹き出し枠６−１内の案内を確認し、ボタンＢＴ６−４をタッチする操作を行う。
【００３５】
画面ＳＣＲ６において、ボタンＢＴ６−４をタッチする操作が行われた場合（Ｓ１６２：Ｙｅｓ）、ＣＰＵ２３は、画面ＳＣＲ７をタッチパネルディスプレイ１２に表示させる（Ｓ１７１）。
【００３６】
図１３は、画面ＳＣＲ７を示す図である。この画面ＳＣＲ７の中央にはウィンドウＷＮ７−１が表示されている。ウィンドウＷＮ７−１内の上段には、「アプリケーションを選択」という文字が表示されている。この文字の下には、ボタンＢＴ７−２が表示されている。ボタンＢＴ７−２内には、「あんしんKidslock」という文字が記されている。ボタンＢＴ７−２の下には、ボタンＢＴ７−３が表示されている。ボタンＢＴ７−３内には、「ホーム」という文字が表示されている。ボタンＢＴ７−３の下には、チェックボタンＢＴ７−４が表示されている。チェックボタンＢＴ７−４の右には、「常にこの操作で使用する」という文字が表示されている。
【００３７】
画面ＳＣＲ７において、所有者（親）は、画面ＳＣＲ６の案内に従った操作を行う。具体的には、チェックボタンＢＴ７−４にタッチしてチェックを入れた上で、ボタンＢＴ７−２をタッチする。
【００３８】
画面ＳＣＲ７において、ＣＰＵ２３は、ボタンＢＴ７−３をタッチする操作が行われた場合（Ｓ１７２：Ｙｅｓ）、ステップＳ１７１に戻り、画面ＳＣＲ７をタッチパネルディスプレイ１２に再び表示させる。また、ＣＰＵ２３は、ボタンＢＴ７−２をタッチする操作が行われた場合（Ｓ１７３：Ｙｅｓ）、画面ＳＣＲ８をタッチパネルディスプレイ１２に表示させる（Ｓ１８１）。
【００３９】
図１４及び図１５は、画面ＳＣＲ８を示す図である。画面ＳＣＲ８は、スマートフォン１０を子供に預ける場合におけるロックレベルを「高」及び「中」の２つのレベルの中から選択するためのものである。ステップＳ１８１では、図１４に示す画面ＳＣＲ８が最初に表示され、画面ＳＣＲ８内のボタンＢＴ−１をタッチする操作が行われる度に、図１５に示す画面ＳＣＲ８→図１４に示す画面ＳＣＲ８→図１５に示す画面ＳＣＲ８というように表示内容が切り替わる。ロックレベル「高」とロックレベル「中」の相違は以下の通りである。ロックレベル「高」では、利用するアプリケーションプログラムＡＰ−ｍの通信機能（バナー等）が無効化される。また、着信やメール受信が遮断され、これに子供が応答できなくなる。また、起動時に通信が必要なアプリケーションプログラムＡＰ−ｍの利用ができなくなる。ロックレベル「中」では、起動時に通信が必要なアプリケーションプログラムＡＰ−ｍが利用できる。また、アプリケーションプログラムＡＰ−ｍの通信機能（バナー等）が利用できる。また、アプリケーションプログラムＡＰ−ｍの利用中に電話の着信があった場合、着信画面がタッチパネルディスプレイ１２に表示される。
【００４０】
図１４に示す画面ＳＣＲ８の上段には、「「ロックレベル」を設定してください（推奨レベル：高）」という文字が表示されている。この文字の下には、ボタンＢＴ８−１が表示されている。ボタンＢＴ８−１内には、ロックレベル高という文字が記されている。ボタンＢＴ８−１の下には、上述したロックレベル「高」の内容を示す文字が表示されている。この文字の下には、「機内モードとは？通話機能、パケット通信、Wifi等、全ての無線通信をＯＦＦにするモードです。着信などができなくなるのでご注意ください。」という文字が表示されている。この文字の下には、ボタンＢＴ８−２が表示されている。ボタンＢＴ８−２内には、「次へ」という文字が記されている。
【００４１】
図１５に示す画面ＳＣＲ８の上段には、「「ロックレベル」を設定してください（推奨レベル：高）」という文字が表示されている。この文字の下には、ボタンＢＴ８−１が表示されている。ボタンＢＴ８−１内には、ロックレベル中という文字が記されている。ボタンＢＴ８−１の下には、上述したロックレベル「中」の内容を示す文字が表示されている。この文字の下には、「機内モードとは？通話機能、パケット通信、Wifi等、全ての無線通信をＯＦＦにするモードです。着信などができなくなるのでご注意ください。」という文字が表示されている。この文字の下には、ボタンＢＴ８−２が表示されている。ボタンＢＴ８−２内には、「次へ」という文字が記されている。
【００４２】
画面ＳＣＲ８において、ボタンＢＴ８−２をタッチする操作が行われた場合（Ｓ１８２：Ｙｅｓ）、その操作時点において選択されているロックレベルを示すデータＤＬＥＶＥＬを登録情報ＤＲとしてＥＥＰＲＯＭ２５内に記憶し、次のステップＳ１９１に進む。ステップＳ１９１では、ＣＰＵ２３は、画面ＳＣＲ９をタッチパネルディスプレイ１２に表示させる。
【００４３】
図１６は、画面ＳＣＲ９を示す図である。画面ＳＣＲ９の上段には、「ロック開始」という文字が表示されている。この文字の下には、「キッズロックが有効になりました。画面をタッチして下さい。」という文字が表示されている。この文字の下には、錠前を模擬した画像と４人の子供の絵を示す画像が表示されている。この画像の下には、「ロックを解除は「Backボタン」から解除操作を行ってください」という文字が表示されている。
【００４４】
画面ＳＣＲ９において、所有者（親）は、画面ＳＣＲ９内における任意の位置をタッチする操作を行う。画面ＳＣＲ９をタッチする操作が行われた場合（Ｓ１９２：Ｙｅｓ）、ＣＰＵ２３は、画面ＳＣＲ１０をタッチパネルディスプレイ１２に表示させる（Ｓ２０１）。
【００４５】
図１７は、画面ＳＣＲ１０を示す図である。画面ＳＣＲ１０の上段には、ウィンドウＷＮ１０−１が表示されている。このウィンドウＷＮ１０−１内には、登録情報ＤＲ内におけるデータＤＧＥＮＤＥＲが示す性別の画像（図１７の例では男の子の画像）とデータＤＮＡＭＥが示す名前（図１７の例ではたろう）が記されている。ウィンドウＷＮ１０−１の右にはボタンＢＴ１０−２が表示されている。ボタンＢＴ１０−２内には、矢印の画像と「ＢＡＣＫ」という文字が記されている。ウィンドウＷＮ１０−１及びボタンＢＴ１０−２の下には、登録情報ＤＲ内の各識別情報ＩＤ−ｍが示すアプリケーションプログラムＡＰ−ｍ（画面ＳＣＲ４において選択したアプリケーションプログラム）のアイコンＩＣＮ４−２−ｍが表示されている。
【００４６】
本実施形態では、画面ＳＣＲ１０の表示をもって登録設定が完了する。所有者（親）は、この画面ＳＣＲ１０を表示させた状態のスマートフォン１０を子供に渡す。子供は、画面ＳＣＲ１０内のアイコンＩＣＮ４−２−ｍのうち自らが遊びたいものをタッチする操作を行う。
【００４７】
画面ＳＣＲ１０において、アイコンＩＣＮ４−２−ｍをタッチする操作が行われた場合（Ｓ２０２：Ｙｅｓ）、ＣＰＵ２３は、タッチされたアイコンＩＣＮ４−２−ｍと対応するアプリケーションプログラムＡＰ−ｍを起動する（Ｓ２０４）。これにより、タッチパネルディスプレイ１２の表示画面は起動されたアプリケーションプログラムＡＰ−ｍの画面に切り替わる。図１８は、アプリケーションプログラムＡＰ−ｍの表示画面の一例を示す図である。子供は、画面ＳＣＲ１０内のアイコンＩＣＮ４−２−ｍをタッチしてアプリケーションプログラムＡＰ−ｍを起動させてこれをプレイする操作を繰り返す。ＣＰＵ２３は、登録情報ＤＲ内にデータＤＴＩＭＥが含まれている場合、ステップＳ２０１の実行時刻からの経過時間ｔを計り、この経過時間ｔがデータＤＴＩＭＥが示す利用時間と一致した時点において起動中のアプリケーションプログラムＡＰ−ｍを終了させる。
【００４８】
ここで、画面ＳＣＲ１０またはこの画面ＳＣＲ１０において起動が指示されたアプリケーションプログラムＡＰ−ｍの表示画面がタッチパネルディスプレイ１２に表示されている状態では、登録情報ＤＲ内の識別情報ＩＤ−ｍが示すアプリケーションプログラムＡＰ−ｍ以外のアプリケーションプログラムＡＰ−ｍの起動が制限される。より具体的に説明すると、この状態では、ホームキー１７、バックキー１８、メニューキー１９がタッチされてもタッチパネルディスプレイ１２の表示画面は別の画面に切り替わらないようになっている。また、この状態では、登録情報ＤＲ内のデータＤＬＥＶＥＬが示すロックレベル（高または低）に応じてインターネットを介したデータ通信が制限される。
【００４９】
子供は、スマートフォン１０の利用を終えると、スマートフォン１０を所有者（親）に渡す。所有者（親）は、スマートフォン１０を子供から受け取ると、アプリケーションプログラムＡＰ−ｍの起動の制限を解除する操作を行う。具体的には、所有者（親）は、画面ＳＣＲ１０のボタンＢＴ１０−２をタッチする操作を行う。画面ＳＣＲ１０において、ボタンＢＴ１０−２をタッチする操作が行われた場合（Ｓ２０３：Ｙｅｓ）、ＣＰＵ２３は、画面ＳＣＲ１１をタッチパネルディスプレイ１２に表示させる（Ｓ２０５）。
【００５０】
図１９は、画面ＳＣＲ１１を示す図である。この画面ＳＣＲ１１の上段には、錠前を模擬した画像と、「あんしんキッズロック」という文字と、「ＫＩＤＳＬＯＣＫ！」という文字が表示されている。これらの画像及び文字の下の矩形状の領域の４隅には、真円状のボタンＢＴ１１−１、ＢＴ１１−２、ＢＴ１１−３、ＢＴ１１−４が表示されている。ボタンＢＴ−１、ＢＴ１１−２、ＢＴ１１−３、ＢＴ１１−４の内側には、「ロック画面の解除をするには、画面の４隅を時計回りにすばやくタッチしてください」という文字が表示されている。所有者（親）は、この案内に従った操作（たとえば、ボタンＢＴ１１−１→ボタンＢＴ１１−２→ボタンＢＴ１１−３→ボタンＢＴ１１−４を順にタッチする操作）を行う。
【００５１】
画面ＳＣＲ１１において、画面ＳＣＲ１１内の基準点であるボタンＢＴ−１、ＢＴ１１−２、ＢＴ１１−３、ＢＴ１１−４が時計回りに順にタッチされた場合（Ｓ２０６：Ｙｅｓ）、ＣＰＵ２３は、タッチパネルディスプレイ１２の表示画面をホーム画面に切り替える（Ｓ２０７）。
【００５２】
以上が、本実施形態の構成の詳細である。本実施形態によると、次の効果が得られる。
第１に、本実施形態では、スマートフォン１０に実装済みのアプリケーションプログラムＡＰ−ｍ（ｍ＝１〜Ｍ）の中から子供による利用を許可するアプリケーションプログラムＡＰ−ｍを選択する操作（画面ＳＣＲ４においてアイコンＩＣＮ４−２−ｍをタッチする操作）を含む設定操作が行われた場合に、この設定操作において選択されたものを除くアプリケーションプログラムＡＰ−ｍの起動を制限する。よって、所有者（親）は、スマートフォン１０の利用を望む子供にスマートフォン１０を安心して渡すことができる。
【００５３】
第２に、本実施形態では、画面ＳＣＲ４には、子供に利用させてもよいアプリケーションプログラムＡＰ−ｍのアイコンＩＣＮ−ｍだけが表示される。よって、子供によるスマートフォン１０の誤操作を防ぐことができる。
【００５４】
第３に、本実施形態では、画面ＳＣＲ５において、子供に利用を許可したアプリケーションプログラムＡＰ−ｍの利用時間を設定する利用時間設定操作が行われた場合に、当該時間設定操作により設定された時間が経過した時点において起動中のアプリを終了させる。よって、子供がスマートフォン１０で遊び過ぎてしまう事態の発生を防ぐことができる。
【符号の説明】
【００５５】
１０…スマートフォン、１１…筐体、１２…タッチパネルディスプレイ、１３…スピーカ、１４…マイクロホン、１５…電源キー、１６…ボリュームキー、１７…ホームキー、１８…バックキー、１９…メニューキー、２１…無線通信部、２２…制御部、２３…ＣＰＵ、２４…ＲＡＭ、２５…ＥＥＰＲＯＭ、２６…ＯＳ。
【図１】
2014030157.tif 000003
【図２】
2014030157.tif 000004
【図３】
2014030157.tif 000005
【図４】
2014030157.tif 000006
【図５】
2014030157.tif 000007
【図６】
2014030157.tif 000008
【図７】
2014030157.tif 000009
【図８】
2014030157.tif 000010
【図９】
2014030157.tif 000011
【図１０】
2014030157.tif 000012
【図１１】
2014030157.tif 000013
【図１２】
2014030157.tif 000014
【図１３】
2014030157.tif 000015
【図１４】
2014030157.tif 000016
【図１５】
2014030157.tif 000017
【図１６】
2014030157.tif 000018
【図１７】
2014030157.tif 000019
【図１８】
2014030157.tif 000020
【図１９】
2014030157.tif 000021